(57)【要約】【課題】書籍の循環利用の方法の提供。【解決手段】書籍の循環利用方法は、第１紙書籍より製作した電子書籍を取得した後には該第１紙書籍を保留する必要のない第１クライアントより該第１紙書籍を受け取り、その後、電子化装置で該第１紙書籍より該電子書籍を製作し、並びに第１保存装置に保存して該第１クライアントに提供し、最後に、該第１紙書籍の第１書籍データを古本センターの第２保存装置に保存し並びに第２クライアントが該紙書籍を取得した時に、該第１書籍データを更新して該第１紙書籍のストックに反応し、該第１紙書籍に、本発明の提供する方法を利用して該第２クライアントの手中に循環流通させ、該第２クライアントに閲読利用させ、すでに該第１紙書籍を必要としない該第１クライアントに放置されるだけになるのを防止する。【選択図】図１
2014026623.tif 000002
【特許請求の範囲】
【請求項１】
書籍の循環利用の方法において、第１クライアントより第１紙書籍を取得し、電子化装置で該第１紙書籍より電子書籍を製作し、並びに該電子書籍を第１保存装置に保存し、該第１クライアントに読み取り装置により該保存装置より該電子書籍を取得させ、古本センターの第２保存装置に、該第１紙書籍に第１書籍データを保存し、並びに第２クライアントが該第１紙書籍を取得する時、該第１紙書籍の在庫更新に応じて、該第１書籍データを更新し、
以上のステップを包含することを特徴とする、書籍の循環利用の方法。
【請求項２】
請求項１記載の書籍の循環利用の方法において、該第１クライアントより該第１紙書籍を取得する方法は、該第１クライアントより該第１紙書籍を購入するか、或いは該第１クライアントが該第１紙書籍を寄贈するものとする、
書籍の循環利用の方法。
【請求項３】
請求項２記載の書籍の循環利用の方法において、該第１クライアントは割引ポイントを提供し、該割引ポイントは該第１クライアントが該古本センターより第２紙書籍を購入する時に、第２販売価格より割り引かれることを特徴とする、
書籍の循環利用の方法。
【請求項４】
請求項３に記載の書籍の循環利用の方法において、該割引ポイントは該古本センターが該第１紙書籍を該第２クライアントに販売する時の、第１販売価格より換算して得ることを特徴とする、書籍の循環利用の方法。
【請求項５】
請求項３又は４に記載の書籍の循環利用の方法において、該第１販売価格は該第１書籍データに包含され、該第２販売価格は、第２書籍データも包含され、該第１書籍データ或いは該第２書籍データは該第２保存装置に保存されることを特徴とする、書籍の循環利用の方法。
【請求項６】
請求項１に記載の書籍の循環利用の方法において、該第１保存装置は第１サーバー装置とされ、該読み取り装置は第１端末装置を包含し、該第１クライアントは該第１端末装置を介して該第１サーバー装置に接続して該電子書籍を取得することを特徴とする、書籍の循環利用の方法。
【請求項７】
請求項１に記載の書籍の循環利用の方法において、該第１保存装置はポータブル保存媒体とされ、該ポータブル保存媒体は光ディスク或いは携帯式ディスクとされ、該読み取り装置は該ポータブル保存媒体をサポートする電子装置とされることを特徴とする、書籍の循環利用の方法。
【請求項８】
請求項１に記載の書籍の循環利用の方法において、該第２保存装置は内部サーバー装置とされ、該第２クライアントが該古本センターに出向いて該第１紙書籍を取得する時、該内部サーバー装置内に保存された該第１書籍データを更新することを特徴とする、書籍の循環利用の方法。
【請求項９】
請求項１に記載の書籍の循環利用の方法において、該第２保存装置は第２サーバー装置とされ、該第２クライアントが第２端末装置を介して該第２サーバー装置に接続し、オンラインで該第１紙書籍を取得する時、
該第２サーバー装置内に保存された該第１書籍データを更新することを特徴とする、書籍の循環利用の方法。
【請求項１０】
請求項１に記載の書籍の循環利用の方法において、該第２クライアントは現金、少なくとも一つの割引ポイント或いは少なくとも一つの紙書籍を包含する方式で、該第１販売価格を支払うことを特徴とする、書籍の循環利用の方法。
【発明の詳細な説明】
【技術分野】
【０００１】
本発明は書籍の利用の方法に係り、紙書籍より電子書籍を製作した後、さらに、古本センターを通して流通させる書籍の循環利用の方法に関する。
【背景技術】
【０００２】
１９７０年代のグーテンベルクプロジェクトの開始より、文書作品を電子化して保存と流通に便利とする考え方と行動が次第に拡がり、早期の電子化の方法は、手作業によるキー入力に依存してファイル構築していたが、現在は、高速スキャンとマシンアームを結合させた自動化電子化技術が発展したのみならず、学者と業者によりスキャン後の自動文字認識と自動レイアウト技術の研究が進み、紙書籍の電子化技術の生産ライン化の基礎の提供は、一種のサービス製品の販売標的となり得る。
【０００３】
近年、デスクトップ型コンピュータ、ノートブック型コンピュータ、タブレットＰＣ、スマートフォン、携帯情報端末装置（ＰＤＡ）等の電子装置は益々普及しており、電子装置ハードウエアの演算性能の大幅な向上とソフトウェアの操作インタフェースの簡易化に伴い、消費者は次第に電子装置で文字とイメージを閲読するのに慣れてきており、二酸化炭素削減の環境保護意識の台頭も加わり、ペーパーレスの電子書籍産業が二酸化炭素削減関係のコペンハーゲン合意の範囲に加えられ、政府或いは個人の機構も、徐々に電子文献を紙文献の代わりとしており、伝統的な紙文献保存に必要な空間を減らすのみならず、電子化後の文献を利用でき、ファイルバックアップ管理と検索に便利な特性を有する。
【０００４】
インターネットの進歩は、有線クライアントの激増、Ｗｉ−Ｆｉ、３Ｇ等の無線ネットワーク基地局の設置数量を増加させ、信号カバーエリアと提供周波数幅を拡張している。モバイルオンラインはすでに概念が現行の技術へと変化し、ネットワーク業者が提供するクラウドサービスに結合されて、電子ファイルの携帯は余分な保存媒体を必要とせず、さらに、電子ファイルの利便性をアップし、クラウドサービスとの結合は、リアルタイム、携帯性、利便性の長所を有し、さらに書籍或いは文献の電子化のサービスを推し進める。
【０００５】
しかし、現在市場には、個人消費者に対して紙書籍或いは文献の電子化サービスを行うプロバイダーはなく、且つ紙書籍より電子化ファイルを形成した後に、消費者が電子化ファイルを使用することが進めば、もともとの紙書籍は廃棄されるか、放置されることとなり資源の浪費でもある。
【発明の概要】
【発明が解決しようとする課題】
【０００６】
これを鑑み、本発明者は、電子化後の紙書籍を循環利用させる方法を構想し、一方で、消費者に紙書籍の電子化のサービスを提供し、もう一方で、電子化完成後の紙書籍をその他の消費者に流通させ、紙書籍が再度閲覧を必要とする消費者の手中に流通するようにする。
【０００７】
これにより、本発明は書籍の循環利用の方法を提供し、それはまず、紙書籍より電子書籍を製作した後に該紙書籍を保留する必要のない第１クライアントより該紙書籍を取得し、その後、電子化装置で該紙書籍より該電子書籍を製作し、並びに第１保存装置に保存し、該第１クライアントが読み取り装置で該保存装置より該電子書籍を取得できるようにし、最後に該紙書籍を古本センターに送り、第２保存装置に第１書籍情報を保存し、並びに第２クライアントが該紙書籍を取り出した時、該第１書籍情報を更新して該第１紙書籍の在庫変更に反映させる。
【０００８】
本発明の実施により、該紙書籍から電子書籍を製造でき、もともと該紙書籍を所有していた該第１クライアントが該紙書籍の保存に必要とする空間を節約し且つ便利な電子書籍の形式で該電子書籍のデータを閲読と利用でき、並びに電子化後に該第１クライアントにより必要とされない該紙書籍が、手放されて該紙書籍を必要とする該第２クライアントの手中へと転送され、続けて該第２クライアントにより閲読及び利用され得て、該紙書籍を必要としない該第１クライアントにより廃棄される或いは放置されたままとなることがない。
【０００９】
そのうち、該紙書籍の取得方式は、該第１クライアントより購入するか或いは該第１クライアントより寄贈されるものとし、もし該紙書籍が該第１クライアントからの寄贈であれば、該第１クライアントに割引ポイントを提供する。古本センターより紙書籍を取得するには、現金、少なくとも一つの割引ポイント、或いは少なくとも一つの紙書籍で販売価格を支払うことができ、該割引ポイント及び紙書籍の金額を該販売価格より割り引くことで、消費者に対し読み終えて再度読むことのない紙書籍を寄贈するか交換することを推進し、これにより紙書籍を本発明の方法により循環流通させる。
【００１０】
また、該第１保存装置はサーバー装置とされ得て、該電子書籍のクラウド空間を提供し、これにより該第１クライアントが第１端末装置により接続して該電子書籍を取得するか、或いはポータブル保存媒体とされ、該第１クライアントが該ポータブル保存媒体を取得した後に、電子装置で該電子書籍を読み取ることができる。クラウドに保存する方式はクラウド空間の利便性と結合でき、保存媒体に保存するのは消費者による該電子書籍の保存に便利であり、本発明の実施により電子書籍の製作と紙書籍の古本売買サービスを提供できることを推奨するのに有利である。
【００１１】
また、該第２保存装置は内部サーバー装置とされて、該第２クライアントが該古本センターで該紙書籍を現場で取得する時に、該第１書籍情報をリアルタイムで更新して該第１紙書籍の在庫の変更を反映するか、或いは第２サーバー装置とされて、該第２クライアントが第２端末装置により該第２サーバー装置上の電子ショッピングモールに接続し、オンラインで該紙書籍を取得する時に該第１書籍情報を更新して該第１紙書籍の在庫変更を反映する。
【００１２】
本発明の目的は、書籍の循環利用の方法を提供することにあり、それは、クライアントに紙書籍の電子化サービスを提供し、該クライアントに該紙書籍より製作した電子書籍を取得させ、並びに該紙書籍の寄贈を受け循環流通させる。
【００１３】
本発明の目的は、書籍の循環利用の方法を提供することにあり、それは該クライアントより取得した該紙書籍を古本センターを介して別のクライアントへと流通させ、該紙書籍をそれを必要とするクライアントの手中へと循環流通させられるようにする。
【００１４】
本発明の目的は、書籍の循環利用の方法を提供することにあり、それは、該クライアントに割引ポイントを提供し、該クライアントによる該紙書籍の寄贈をフィードバック奨励し、該クライアントの自身が必要としない該紙書籍を寄贈する意思を高める。
【００１５】
本発明の目的は、書籍の循環利用の方法を提供することにあり、それは、サーバー装置のクラウド空間サービスを結合し、該電子書籍を該クライアントに提供し、クラウド空間の利便性を通して、該クライアントに本発明の電子化サービスの利用を推奨する。
【００１６】
本発明の目的は、書籍の循環利用の方法を提供することにあり、それは、保存装置を利用して該紙書籍の書籍データを保存或いは更新し該第１紙書籍の在庫変更を反映させ、該古本センターに保存される該紙書籍の管理に便利とする。
【課題を解決するための手段】
【００１７】
上述の目的のため、本発明は書籍の循環利用の方法を提供する。それは、第１クライアントに向けて電子化サービスを提供し、該第１クライアントが所有する第１紙書籍より電子書籍を製作し、該第１クライアントに該電子書籍を取得させ、並びに該第１クライアントより該第１紙書籍を取得し且つ該第１紙書籍を古本センターを介して第２クライアントに提供する。
【００１８】
まず、本発明の方法を利用するサービスプロバイダが、該第１クライアントより該第１クライアントが電子化したい該第１紙書籍を取得する。その後、該サービスプロバイダが電子化装置で該第１紙書籍より電子書籍を製作し、並びに該電子書籍を第１保存装置に保存して、該第１クライアントが読み取り装置で該保存装置より該電子書籍を取得できるようにする。最後に、該サービスプロバイダが該第１紙書籍の第１書籍データを古本センターの第２保存装置に保存し、並びに第２クライアントが該第１紙書籍を取得する時に、該第１書籍データを更新しこれにより該第１紙書籍の在庫変更を反映し、該古本センターの具備する全ての紙書籍を管理する。
【００１９】
そのうち、該サービスプロバイダが、該第１クライアントより該第１紙書籍を取得する方法は、該第１クライアントより購入するか或いは該第１クライアントより寄贈されるものとし、該第１クライアントの該第１紙書籍の寄贈の意思を高め並びに寄贈の代償となすため、該サービスプロバイダは割引ポイントを該第１クライアントに提供し、該第１クライアントが該古本センターより第２紙書籍を取得する時に該第２紙書籍の第２販売価格より該割引ポイントを割り引くことができる。
【００２０】
また、該割引ポイントは該第１紙書籍を該第２クライアントに販売する時の第１販売価格より換算され得て、これにより、該サービスプロバイダは比較的容易にコスト制御と利益計算を行える。
【００２１】
また、該第２販売価格或いは該第１紙書籍の第１販売価格は現金、少なくとも一つの割引ポイント或いは少なくとも一つの紙書籍のいずれの方式でも支払い可能であり、これにより、クライアントが不必要となった紙書籍を本方法の提供する流通ルートに投入するのを奨励する。
【００２２】
このほか、該第１保存装置は第１サーバー装置とされ得る。この時、該読み取り装置は第１端末装置とされ得て、該サービスプロバイダは、該電子書籍を該第１サーバー装置に保存し並びに該第１クライアントの権限を開放し、これにより、該第１クライアントは該第１端末装置を介して該第１サーバー装置に接続可能とされ、該サービスプロバイダが該第１サーバー装置により提供するクラウド空間より該電子書籍を取得し、紙書籍を電子化する電子書籍製作サービスと電子書籍を保存するクラウド空間を提供するサービスを結合する。
【００２３】
該サービスプロバイダはクラウドサービスを利用する時、ポータブルで便利な優勢を利用し、該第１クライアントを引き寄せて該サービスプロバイダが提供する紙書籍電子化サービスを使用させ、該サービスプロバイダには、一方でクラウド空間と結合した紙書籍電子化サービスを推進させ、もう一方で古本センターに流通用の紙書籍を収集する。
【００２４】
また、もし、サービスプロバイダがクラウドサービスを提供しない場合、ポータブル保存媒体を第１保存装置とすることもでき、並びに該電子書籍を保存した該ポータブル保存媒体を該第１クライアントに交付し、該第１クライアントは該ポータブル保存媒体を取得した後、該ポータブル保存媒体をサポートする電子装置を該読み取り装置とし、該ポータブル保存媒体により該電子書籍を読み取る。
【００２５】
また、該古本センターは実体店舗を有して、該第２クライアントが該古本センターの該実体店舗現場より該第１紙書籍を取得できるようにする以外に、該サービスプロバイダは電子ショッピングモールを構築して、該第２クライアントを該電子ショッピングモールに接続させてオンライン上で該第１紙書籍を取得させることができる。該実体店舗が具備する該第２保存装置は内部サーバー装置とされ、該第２クライアントが該第１紙書籍を取得する時、該第１紙書籍の在庫の変化に伴い、該内部サーバー装置中に保存された該第１書籍データを更新する。
【００２６】
該電子ショッピングモールは第２サーバー装置に構築され、該第２サーバー装置は該第２保存装置とされ得て、該第１書籍データを保存し、並びに該第２クライアントがオンラインで該第１紙書籍を取得するとき、該第１書籍データの在庫変化に伴い該第１書籍データ更新する。該電子ショッピングモールの構築により、該第１紙書籍及びその他の該古本センターが収集した紙書籍が掲載され、より便利な購入ルートが提供され、紙書籍に適合するバイヤーを容易に探し出せ、本発明の紙書籍を流通させ循環利用を促進する目的をさらに達成する。
【発明の効果】
【００２７】
本発明の書籍の循環利用の方法の特色は以下のとおりである。クライアントに向けて電子化サービスを提供し、該クライアントに該紙書籍を保存するのに必要な空間を節約させ、並びに該クライアントが電子書籍を取得した後には保留不要である該紙書籍を、古本センターを介して、該紙書籍を必要とする別のクライアントに譲渡する。一方、該クライアントに割引ポイントを提供するか、少なくとも一つの紙書籍の販売価格を割り引き、該クライアントの該紙書籍の寄贈及び流通の意欲を高めることができる。
【００２８】
また、サーバー装置を介してクラウド空間サービスを提供し、該電子書籍アクセスの利便性をさらにアップし、並びに書籍データの保存と更新により、該古本センターの収集する紙書籍の管理を行う。これにより、該クライアントは該クライアントが提供した該紙書籍より製作した該電子書籍を獲得でき、該紙書籍を別のクライアントに流通させられ別のクライアントによる閲覧利用に供して、電子化後の該紙書籍が廃棄或いは放置されることによる浪費を減らす。
【図面の簡単な説明】
【００２９】
【図１】本発明の概略フローチャートである。
【図２】本発明の詳細フローチャートである。
【図３Ａ】本発明の第１実施例の構成要件関係表示図である。
【図３Ｂ】本発明の第２実施例の構成要件関係表示図である。
【発明を実施するための形態】
【００３０】
本発明の技術内容、構造特徴、達成する目的を詳細に説明するため、以下に実施例を挙げ並びに図面を組み合わせて説明する。
【００３１】
まず、図１を参照されたい。それは本発明の概略フローチャートである。図示されるように、本発明の書籍の循環利用の方法のステップは以下のとおりである。
ステップＳ１０：第１クライアントが第１紙書籍の電子化を要求する。
ステップＳ２０：サービスプロバイダが電子化装置で該第１紙書籍より電子書籍を製作する。
ステップＳ３０：該第１クライアントが該電子書籍を取得する。
ステップＳ４０：該第１クライアントが該サービスプロバイダが該第１紙書籍を取得するのに同意する。
ステップＳ５０：該サービスプロバイダより該第１紙書籍を譲受けて譲渡する。
ステップＳ６０：該第１クライアントが該第１紙書籍を取り戻す。
【００３２】
ステップＳ１０において、該第１クライアントは該サービスプロバイダに対して該第１クライアントが所有する該第１紙書籍の電子化を要求する。これを受けて、該サービスプロバイダは、ステップＳ２０を実行し、該電子化装置で内容が該第１紙書籍に対応する該電子書籍を製作し、並びにステップＳ３０で、該電子書籍を第１保存装置に保存して、該第１クライアントが読み取り装置を介して、該第１保存装置より該電子書籍を取得できるようにし、且つステップＳ４０において、該サービスプロバイダは、該第１クライアントが該サービスプロバイダが該第１紙書籍を取得するのに同意するか否かを確認し、もし、該第１クライアントが該サービスプロバイダが該第１紙書籍を取得するのに同意すれば、ステップＳ５０に進み該サービスプロバイダより該第１紙書籍が古本センターに収集され、並びに該第２クライアントに譲渡され本フローを完成する。もし、第１クライアントが該サービスプロバイダが該第１紙書籍を取得するのを同意しなければ、ステップＳ６０に進み、該第１クライアントが該第１紙書籍を取り戻し本フローを終了する。
【００３３】
ステップＳ１０からステップＳ５０の実施により該サービスプロバイダは、該第１クライアントに該第１紙書籍より製作した該電子書籍を提供し、並びに該第１紙書籍を該古本センターを介して該第２クライアントに譲渡し、紙書籍の電子化サービスを提供した後に、紙書籍を継続してその他の人に流通させることができ、続けて閲読使用させることができる。
【００３４】
図２は本発明の詳細なフローチャートである。図示されるように、本発明の書籍の循環利用の方法は以下のステップを有する。
ステップＳ１０：第１クライアントが第１紙書籍の電子化を要求する。
ステップＳ２０：サービスプロバイダが電子化装置で該第１紙書籍より電子書籍を製作する。
ステップＳ３０：該第１クライアントが該電子書籍を取得する。
ステップＳ３１：該サービスプロバイダが該電子書籍を第１サーバー装置に保存し並びに該第１クライアントのアクセスを許可する。
ステップＳ３２：該サービスプロバイダが該電子書籍をポータブル保存媒体に保存し並びに該第１クライアントに交付する。
ステップＳ４０：該第１クライアントが該サービスプロバイダが該第１紙書籍を取得するのに同意する。
ステップＳ４１：該第１クライアントが該第１紙書籍を該サービスプロバイダに交付する。
Ｓ４１１：該サービスプロバイダが該第１クライアントより該第１紙書籍を購入する。
Ｓ４１２：該第１クライアントが該第１紙書籍を該サービスプロバイダに寄贈する。
Ｓ４１３：該サービスプロバイダが割引ポイントを該第１クライアントに提供する。
ステップＳ５０：該サービスプロバイダが該第１紙書籍を入手する。
ステップＳ５１：該第２クライアントが古本センターに出向き、現場で該第１紙書籍を取得し並びに第１書籍データを更新する。
ステップＳ５２：該第２クライアントが第２サーバー装置に接続しオンラインで該第１紙書籍を取得し並びに第１書籍データを更新する。
ステップＳ６０：該第１クライアントが該第１紙書籍を取り戻す。
【００３５】
前述したように、ステップＳ１０において、該第１クライアントは該サービスプロバイダに対して該第１クライアントが所有する該第１紙書籍を電子化して、該第１クライアントに該第１紙書籍に対応する内容の電子書籍を取得させることを要求する。
【００３６】
該サービスプロバイダは該第１クライアントの要求を受け取ると、ステップＳ２０を実行し、該電子化装置で該第１紙書籍の電子化を実行し、内容が該第１紙書籍に対応する該電子書籍を製作する。
【００３７】
その後、ステップＳ３０で、該サービスプロバイダは該電子書籍を第１保存装置に保存して、該第１クライアントが読み取り装置を介して、該第１保存装置より該電子書籍を取得できるようにする。このとき、該サービスプロバイダはクラウド空間或いは保存媒体を選択して該電子書籍を該第１クライアントに提供できる。
【００３８】
クラウド空間を選択した場合は、ステップＳ３１に進み、該サービスプロバイダは該第１サーバー装置を該第１保存装置とし、該第１クライアントが、第１端末装置を包含する該読み取り装置を該第１サーバー装置の提供するクラウド空間に接続できるようにし、且つ該サービスプロバイダは該第１クライアントの該電子書籍に対するアクセス権限を開放し、該第１クライアントが直接クラウド空間より該電子書籍を取得できるようにする。
【００３９】
保存媒体を選択した場合は、ステップＳ３２に進み、該サービスプロバイダは該電子書籍を該ポータブル保存媒体（光ディスク或いは携帯型ディスク）に保存し、並びに該ポータブル保存媒体を該第１クライアントに交付し、該第１クライアントは該ポータブル保存媒体をサポートする電子装置を該読み取り装置とし、該ポータブル保存媒体より該電子書籍を取得する。
【００４０】
該サービスプロバイダは該第１クライアントが要求する電子化サービスを完成した後、ステップＳ４０を実行し該第１クライアントに対して、該サービスプロバイダが該第１紙書籍を取得するのに同意するか否かを確認する。
【００４１】
もし、第１クライアントが該サービスプロバイダが該第１紙書籍を取得するのに同意しなければ、ステップＳ６０に進み該第１クライアントが該第１紙書籍を取り戻し本フローを終了する。
【００４２】
該第１クライアントが該サービスプロバイダが該第１紙書籍を取得するのに同意すれば、ステップＳ４１に進み該第１クライアントは該第１紙書籍を該サービスプロバイダに交付し、このとき、該第１クライアントは売却か寄贈かの方式を選択でき、売却を選択した場合は、ステップＳ４１１に進み、該サービスプロバイダは該第１クライアントに費用を支払い該第１紙書籍を購入し、並びにステップＳ５０に進み、該サービスプロバイダにより該第１紙書籍が転送される。該第１クライアントが該第１紙書籍を該サービスプロバイダに寄贈することを選択する場合は、ステップＳ４１４に進み該第１クライアントは該第１紙書籍を該サービスプロバイダに寄贈し、該サービスプロバイダにステップＳ４１３を実行させ、割引ポイントを該第１クライアントに提供し、並びにステップＳ５０に進み該サービスプロバイダより該第１紙書籍が第３者に譲渡され、該第１紙書籍が他人により続いて閲覧及び利用される。
【００４３】
ステップＳ５０において、該サービスプロバイダは該第１紙書籍の第１書籍データを第２保存装置に保存し、並びに該第１紙書籍を古本センターに陳列して、該第２クライアントが現場購入できるようにするか、或いは、第２サーバー装置にオンラインショッピングモールを構築し、且つ該第１紙書籍を該オンラインショッピングモールに仮想陳列し、該第２クライアントがオンラインで該紙書籍を購入できるようにする。
【００４４】
現場での購入を選択した場合は、ステップＳ５１に進み該第２クライアントが該古本センターに出向いて現場で該第１紙書籍を取得する。このとき、該第２保存装置は内部サーバー装置とされ、且つ該内部サーバー装置内に保存された該第１書籍データは該第２クライアントが該第１紙書籍を取得したことにより、更新され該第１紙書籍の在庫変更を反映する。
【００４５】
オンライン購入を選択した場合は、ステップＳ５２に進み、該第２保存装置は該第２サーバー装置とされ、該第２クライアントは第２端末装置を介して該第２サーバー装置の該オンラインショッピングモールに接続し並びに該第１紙書籍を選択し、オンラインで選択した後に、該サービスプロバイダは該第２クライアントより該第１販売価格を受領し、並びに該第１紙書籍を該第２クライアントに配送し、且つ該第２サーバー装置内に保存された該第１書籍データを更新して、該第１紙書籍の在庫変更を反映する。
【００４６】
ステップＳ５１とステップＳ５２中該第２クライアントは現金、少なくとも一つの割引ポイント或いは少なくとも一つの紙書籍で該第１販売価格を支払うことができる。
【００４７】
ステップＳ１０〜ステップＳ５２の実施により、該サービスプロバイダはクラウド空間或いは保存媒体により、該第１クライアントに該第１紙書籍より製作した該電子書籍を提供でき、並びに該第１紙書籍を該古本センターにより現場で、或いはオンラインで該第２クライアントに販売でき、もし、該第１クライアントが該第１紙書籍を該サービスプロバイダに寄贈した場合は、該サービスプロバイダは割引ポイントを該第１クライアントに提供し、これにより、該第１クライアントの紙書籍寄贈とその他の古本を購入する意欲を高め、且つ現金或いは割引ポイント以外に、紙書籍も販売価格を支払う方式とされることで、各クライアントに、自身が再読しない紙書籍を本発明が提供する流通ルートに投入することを奨励し、これにより紙書籍をその電子書籍が製作された後に、該サービスプロバイダが他人に譲渡し継続して閲読と利用ができるようにし、こうして紙書籍が直接廃棄されるか放置されるという閲読資源の浪費を防止する。
【００４８】
図２に図３Ａを合わせて参照されたい。図３Ａは本発明の第１実施例の構成要件関係表示図である。図示されるように、第１クライアント１０は第１紙書籍４０をサービスプロバイダ２０に交付し、該サービスプロバイダ２０は電子化装置２２により該第１紙書籍４０より電子書籍５０を製作する。該サービスプロバイダ２０は、ポータブル保存媒体８０を第１保存装置とし該電子書籍５０を該ポータブル保存媒体８０に保存、並びに該第１クライアント１０に交付し、該第１クライアント１０に該ポータブル保存媒体８０をサポートする電子装置１２を読み取り装置とし該電子書籍５０を取得させる。
【００４９】
また、該第１クライアント１０が該第１紙書籍４０を該サービスプロバイダ２０に寄贈することを選択すると、該サービスプロバイダ２０は割引ポイント６６を該第１クライアント１０に提供する。
【００５０】
該サービスプロバイダ２０は、該第１紙書籍４０を該サービスプロバイダ２０が経営する古本センター２４に保存し、並びに内部サーバー装置２４０を第２保存装置とし該第１紙書籍４０の第１書籍データ７０を保存し、且つ第２クライアント３０が該古本センター２４に出向いて現場で該第１紙書籍４０を取得する時、該第１書籍データ７０を更新することで該第１紙書籍４０の在庫変更を反映する。
【００５１】
このとき、該第２クライアント３０は該サービスプロバイダ２０に第３紙書籍４４を以て該第１紙書籍４０の第１販売価格を割り引き並びに支払い、そのうち、該第３紙書籍４４はある割り引き幅６８に換算でき該サービスプロバイダ２０は該第３紙書籍４４を取得した第３書籍データ７４を該内部サーバー装置２４０に保存する。
【００５２】
このほか、該第１クライアント１０もまた、該サービスプロバイダ２０の経営する古本センター２４の実体店舗で第２紙書籍４２を選択購入でき、並びに該第２紙書籍４２の第２販売価格６４を支払う時に、該割引ポイント６６で該第２販売価格６４の一部を割り引くことができ、このとき、該内部サーバー装置２４０内の第２書籍データ７２もまた更新されて、該第２紙書籍４２の在庫変更を反映する。そのうち、該割引ポイント６６は該第１販売価格６２より換算される。
【００５３】
本実施例中、該第１クライアント１０は該第１紙書籍４０を寄贈し並びに該保存媒体８０に保存された該電子書籍５０と該割引ポイント６６を取得する。該サービスプロバイダ２０はスキャナ（すなわち電子化装置２２）で該電子書籍５０を製作し並びに該保存媒体８０に保存された該電子書籍５０と該割引ポイント６６を該第１クライアント１０に提供し、且つ該第１クライアント１０より寄贈された該第１紙書籍４０を、該古本センター２４を介して該第２クライアント３０に販売する。
【００５４】
該第２クライアント３０は該第３紙書籍４４を以て該第１販売価格６２より割り引き並びに残りの金額を支払い、且つ該第１紙書籍４０を取得する。
【００５５】
また、該第１クライアント１０は該第２販売価格６４を支払い並びに該割引ポイント６６で一部の第２販売価格６４を支払い、該古本センター２４より該第２紙書籍４２を購入する。
【００５６】
ゆえに、該第１紙書籍４０は、電子化完成の後、該第１クライアント１０より該サービスプロバイダ２０を介して該第２クライアント３０に流通する。この目的を達成するため、該サービスプロバイダ２０は該割引ポイント６６を誘因とし、該第１クライアント１０の該第１紙書籍４０の寄贈意欲を向上させ、該割引ポイント６６は該第１クライアント１０が該古本センター２４より該第２紙書籍４２を購入する時に、該第２紙書籍４２の該第２販売価格６４より割り引かれるため、該第２紙書籍４２の再度流通を促進することができる。
【００５７】
また、該第２クライアント３０は該第３紙書籍４４を該割り引き幅６８に交換できるため、該第２クライアント３０が該第３紙書籍４４を本発明の流通ルートに投入するのを奨励することができる。
【００５８】
図２に図３Ｂを合わせて参照されたい。図３Ｂは本発明の第２実施例の構成要件関係表示図である。図示されるように、第１クライアント１０は第１紙書籍４０をサービスプロバイダ２０に交付し、該サービスプロバイダ２０は電子化装置２２で該第１紙書籍４０より電子書籍５０を製作し、該サービスプロバイダ２０は第１サーバー装置２６を第１保存装置とし該電子書籍５０を該第１サーバー装置２６に保存する。
【００５９】
該第１クライアント１０は第１端末装置１４を読み取り装置とし、該第１サーバー装置２６のクラウド空間９０に接続し該電子書籍５０にアクセスする。
【００６０】
その後、該サービスプロバイダ２０は販売価格６０で該第１クライアント１０より該第１紙書籍４０を購入し、並びに該第１紙書籍４０を古本センター（図示せず）に保存し、且つ第２サーバー装置２４２を第２保存装置とし該第１紙書籍４０の第１書籍データ７０を保存する。
【００６１】
該サービスプロバイダ２０はさらに該第２サーバー装置２４２にオンラインショッピングモール９２を構築し、第２クライアント３０が第２端末装置３２を介して該第２サーバー装置２４２に接続し、並びに該オンラインショッピングモール９２においてオンラインで該第１紙書籍４０を選択し、該第２クライアント３０が第１販売価格６２を該サービスプロバイダ２０に支払うことができるようにする。
【００６２】
該サービスプロバイダ２０は支払いを受けると、該古本センターより該第１紙書籍４０を該第２クライアント３０に配送し、且つ、該第１紙書籍４０の在庫変更に伴い、該第２サーバー装置２４２中に保存されている該第１書籍データ７０を更新する。
【００６３】
本実施例中、該第１クライアント１０は該第１紙書籍４０を該サービスプロバイダ２０に販売し、並びに該第１サーバー装置２６に保存された該電子書籍５０と該販売価格６０の金額を受け取ることができる。
【００６４】
該サービスプロバイダ２０はスキャナ（すなわち、該電子化装置２２）で該電子書籍５０を製作し、並びに該第１サーバー装置２６に保存した該電子書籍５０と該販売価格６０の代金を該第１クライアント１０に提供し、且つ該第１クライアント１０より購入した該第１紙書籍４０を該古本センターに保存し並びに該オンラインショッピングモール９２を介して該第２クライアント３０に譲渡する。該第２クライアント３０は該第１販売価格６２を支払い並びに該第１紙書籍４０を取得する。
【００６５】
ゆえに、該第１紙書籍４０は、電子化完成の後、該第１クライアント１０より該サービスプロバイダ２０を介して該第２クライアント３０へと流通し、この目的を達成するため、該サービスプロバイダ２０は該第１サーバー装置２６と該第２サーバー装置２４２を提供し、該クラウド空間９０と該オンラインショッピングモール９２を構築し、クラウドサービスとオンラインショッピングの利便性を結合し、該第１クライアント１０を吸引して電子化サービスを使用し並びに該第１紙書籍４０を提供させ、且つ該第２クライアント３０が該第１紙書籍４０を選択購入できるようにし、こうして該第１紙書籍４０の電子化と電子化後の流通を促進する。
【００６６】
総合すると、本発明は書籍の循環利用の方法を提供し、それは、第１クライアントより第１紙書籍を取得し並びに該第１紙書籍より電子書籍を製作し、該第１クライアントに該電子書籍を取得させ並びに該第１紙書籍を古本センターを通して第２クライアントに譲渡する。
【００６７】
こうして該第１クライアントに書籍保管の空間を節約させ、該電子書籍を応用できるようにし、並びに該紙書籍を続けて該第２クライアントへと流通させ続いて該第２クライアントに閲覧利用させ、これにより、該第１紙書籍が電子化後に該第１クライアントにより廃棄されるか放置されたままとなって閲覧資源の浪費をもたらすのを防止する。
【００６８】
以上述べたことは、本発明の実施例にすぎず、本発明の実施の範囲を限定するものではなく、本発明の特許請求の範囲に基づきなし得る同等の変化と修飾は、いずれも本発明の権利のカバーする範囲内に属するものとする。
【符号の説明】
【００６９】
１０    第１クライアント
１２    電子装置
１４    第１端末装置
２０    サービスプロバイダ
２２    電子化装置
２４    古本センター
２４０  内部サーバー装置
２４２  第２サーバー装置
２６    第１サーバー装置
３０    第２クライアント
３２    第２端末装置
４０    第１紙書籍
４２    第２紙書籍
４４    第３紙書籍
５０    電子書籍
６０    販売価格
６２    第１販売価格
６４    第２販売価格
６６    割引ポイント
６８    割り引き幅
７０    第１書籍データ
７２    第２書籍データ
７４    第３書籍データ
８０    ポータブル保存媒体
９０    クラウド空間
９２    オンラインショッピングモール
【図１】
2014026623.tif 000003
【図２】
2014026623.tif 000004
【図３Ａ】
2014026623.tif 000005
【図３Ｂ】
2014026623.tif 000006